(57)【要約】  本発明は実時間あるいは予め格納されたデジタルコンテンツを使用者の移動端末に提供することができるコンテンツ提供システム及びこれのための移動端末に係り、前記移動端末は、全体動作制御のための制御部と、使用者から動作命令を受けるための入力部と、データ格納のための格納部と、移動通信網と無線送受信を行い、移動通信網を通じてコンテンツを受信する無線送受信部と、作動情報及び動画を表示するための表示部と、音声出力のために、デジタル信号をアナログ信号に変換するデジタル／アナログ変換部と、前記デジタル／アナログ変換部で変換されたアナログ信号を増幅してスピーカーに出力する増幅部と、前記無線送受信部を通じて受信されたコンテンツをデコードして再生速度を調節するためのＭＰＥＧ処理部と、を含む。したがって、本発明は、実時間あるいは予め格納されたデジタルコンテンツを使用者の端末に提供することができ、コンテンツ提供中、電話通話、通信障害によってコンテンツの伝送が中断されるかあるいは使用者の意図によって再視聴などを行おうとする場合にも、再生時間調節によって実時間コンテンツ再生時間を追い付くことができる効果がある。
2007504707.tif 000002
【特許請求の範囲】
【請求項１】
デジタルコンテンツを移動通信網を通じて受けて再生する移動端末であって、
全体動作制御のための制御部と；
使用者から動作命令を受けるための入力部と；
データ格納のための格納部と；
移動通信網と無線送受信を行い、移動通信網を通じてコンテンツを受信する無線送受信部と；
作動情報及び動画を表示するための表示部と；
音声出力のために、デジタル信号をアナログ信号に変換するデジタル／アナログ変換部と；
前記デジタル／アナログ変換部で変換されたアナログ信号を増幅してスピーカーに出力する増幅部と；
前記無線送受信部を通じて受信されたコンテンツをデコードして再生速度を調節するためのＭＰＥＧ処理部と；
を含むことを特徴とする移動端末。
【請求項２】
前記ＭＰＥＧ処理部は、
前記コンテンツデータからビデオデータとオーディオデータを分離するデータ分離部と；
前記データ分離部で分離されたビデオデータを所定形式にデコードするビデオデコーダーと；
前記データ分離部で分離されたオーディオデータを所定形式にデコードするオーディオデコーダーと；
前記ビデオデコーダーでデコードされたビデオデータと前記オーディオデコーダーでデコードされたオーディオデータの再生速度を調節するために、データ処理を行う速度調節部と；
前記速度調節部で再生速度が調節されたビデオデータとオーディオデータの同期化を行う同期部と；
を含むことを特徴とする、請求項１に記載の移動端末。
【請求項３】
前記同期部で同期化されたビデオデータは表示部に伝達されて表示され、前記オーディオデータはデジタル／アナログ変換部に伝達されてアナログ信号に変換され、増幅部で増幅されてスピーカーに伝達されることを特徴とする、請求項２に記載の移動端末。
【請求項４】
前記移動端末は、そのデータを格納するためのコンテンツ格納部をさらに含み、
前記ＭＰＥＧ処理部は、コンテンツ再生中に移動電話が受信されれば、コンテンツの再生を中止し、現在受信されるコンテンツデータを前記コンテンツ格納部に格納し、前記電話通話の終了時、前記電話通話開始時点からのコンテンツ再生時間に合わせて、前記コンテンツ格納部に格納されたコンテンツを再生することを特徴とする、請求項２に記載の移動端末。
【請求項５】
前記ＭＰＥＧ処理部は、前記電話通話終了後、コンテンツ再生時に速度調節部を制御して正常速度より高速で再生し、前記高速再生時間が前記受信されるコンテンツの実時間再生時間に到逹すれば、正常速度でコンテンツを再生することを特徴とする、請求項４に記載の移動端末。
【請求項６】
デジタルコンテンツを移動通信網を通じて移動端末に提供するコンテンツ提供サーバーを含むコンテンツ提供システムであって、
前記コンテンツ提供サーバーは、
インターネットを通じてウェブページを提供し、ウェブ接続を制御するウェブサーバーと；
コンテンツ提供を制御し、再生速度を調節するコンテンツ制御サーバーと；
前記コンテンツ制御サーバーから受けたオーディオを含む動画コンテンツあるいはオーディオのみを含むオーディオコンテンツのＭＰＥＧデータを、前記ウェブサーバーを通じて接続した移動端末にストリーミングサービスで提供するストリーミングサーバーと；
を含むことを特徴とするコンテンツ提供システム。
【請求項７】
前記コンテンツ制御サーバーは、
動作制御のための制御部と；
ビデオデータをＭＰＥＧデータにエンコードするビデオエンコーダーと；
オーディオデータをＭＰＥＧデータにエンコードするオーディオエンコーダーと；
ビデオデータ及びオーディオデータの再生速度を調節する速度調節部と；
前記ビデオエンコーダー及びオーディオエンコーダーでエンコードされた各データを多重化して前記ストリーミングサーバーに伝送する多重化部と；
をさらに含むことを特徴とする、請求項６に記載のコンテンツ提供システム。
【請求項８】
前記コンテンツ制御サーバーは、実時間コンテンツを格納するかあるいは予め設定されたコンテンツを格納／管理するコンテンツデータベースを含むことを特徴とする、請求項７に記載のコンテンツ提供システム。
【請求項９】
前記コンテンツ制御サーバーは、コンテンツ伝送時、移動電話からの応答をモニタして、応答が受信されなければ、現在コンテンツゾ伝送を中止し、応答が開始される時点でコンテンツのエンコーディングを再開して、コンテンツを移動端末に提供するために前記ストリーミングサーバーに伝送することを特徴とする、請求項８に記載のコンテンツ提供システム。
【請求項１０】
前記コンテンツ制御サーバーは、前記コンテンツ伝送が中断された時点をモニタし、前記応答が開始される時点で、前記速度調節部、オーディオエンコーダー及びビデオエンコーダーを制御して中断されたコンテンツを正常速度より高速の再生速度でエンコードして前記ストリーミングサーバーに伝送することを特徴とする、請求項９に記載のコンテンツ提供システム。
【請求項１１】
前記コンテンツ制御サーバーは、移動端末からの応答に含まれた命令に応じて再生速度を制御し、前記高速再生時間が前記コンテンツの実時間再生時間に到逹すれば、正常速度でコンテンツをエンコードするために、前記速度調節部、オーディオエンコーダー及びビデオエンコーダーを制御することを特徴とする、請求項１０に記載のコンテンツ提供システム。
【発明の詳細な説明】
【発明の詳細な説明】
【０００１】
〔技術分野〕
本発明は、移動端末を通じた実時間あるいは予め格納されたコンテンツの再生時、多様な再生形態を提供することができるコンテンツ提供システム及びこれのための移動端末に関するものである。
【０００２】
〔背景技術〕
通常、ビデオとオーディオプログラム信号は、一般的に確立されたアルゴリズムや方式によってデジタルフォーマットに変換された後、圧縮、エンコーディング及びマルチプレクシング（多重化）される。圧縮されたデジタルシステム信号、すなわちビットストリームはビデオ部分とオーディオ部分、そしてその他の情報部分を含み、このようなデータは伝送ラインを通じて、あるいは記録媒体に格納されて再生装置に伝達される。ＤＶＤシステム、デジタルＶＣＲ、あるいはマルチメディアプレーヤーソリューションを内蔵するコンピュータシステムなどのように、ビデオデータとオーディオデータなどが多重化されたマルチメディアデータを再生するデジタル再生装置には、前記のようなビットストリームを再生するためのデコーディング手段が提供される。このデコーディング手段は、圧縮アルゴリズムにしたがってビットストリームをデマルチプレクシングし、圧縮を解凍し、デコードすることで、再生可能な信号に作り出す。デコードされたビデオとオーディオ信号は画面、スピーカーなどのような再生装置に出力されて、使用者が鑑賞できるように表現される。
【０００３】
前記デジタルコンテンツは多様な方法で使用者に提供されるが、近年には移動通信技術及び端末技術の発達によって、移動通信網を通じてもデータサービスが可能になるにつれて、多様な形態のデジタルコンテンツサービスが要求されており、使用者も移動端末を通じてこのようなデジタルコンテンツを受けることを望んでいる。
【０００４】
したがって、移動端末を通じた実時間動画コンテンツを提供することができるシステムとこれのための移動端末技術が要求され、これによって発生し得る問題点を解決するための多様な技術が要求されている実情である。
【０００５】
〔発明の開示〕
本発明の目的は、実時間あるいは予め格納されたデジタルコンテンツを使用者の移動端末に提供することはもちろん、多様な形態に再生することができるコンテンツ提供システム及びこれのための移動端末を提供することにある。
【０００６】
前記目的を達成するため、本発明による移動端末は、デジタルコンテンツを移動通信網を通じて受けて再生する移動端末であって、前記移動端末は、全体動作制御のための制御部と；使用者から動作命令を受けるための入力部と；データ格納のための格納部と；移動通信網と無線送受信を行い、移動通信網を通じてコンテンツを受信する無線送受信部と；作動情報及び動画を表示するための表示部と；音声出力のために、デジタル信号をアナログ信号に変換するデジタル／アナログ変換部と；前記デジタル／アナログ変換部で変換されたアナログ信号を増幅してスピーカーに出力する増幅部と；前記無線送受信部を通じて受信されたコンテンツをデコードして再生速度を調節するためのＭＰＥＧ処理部と；を含むことを特徴とする。
【０００７】
また、本発明によるコンテンツ提供システムは、デジタルコンテンツを移動通信網を通じて移動端末に提供するコンテンツ提供サーバーを含むコンテンツ提供システムであって、前記コンテンツ提供サーバーは、インターネットを通じてウェブページを提供し、ウェブ接続を制御するウェブサーバーと；コンテンツ提供を制御し、再生速度を調節するコンテンツ制御サーバーと；  前記コンテンツ制御サーバーから受けたオーディオを含む動画コンテンツあるいはオーディオのみを含むオーディオコンテンツのＭＰＥＧデータを、前記ウェブサーバーを通じて接続した移動端末にストリーミングサービスで提供するストリーミングサーバーと；を含むことを特徴とする。
【０００８】
〔図面の簡単な説明〕
図１は本発明によるコンテンツ提供システムの接続を説明するためのブロック図である。
【０００９】
図２は本発明による移動端末構成の実施例を説明するためのブロック図である。
【００１０】
図３は本発明によるＭＰＥＧ処理部構成の実施例を説明するためのブロック図である。
【００１１】
図４は本発明によるデータの同期化を説明するための概略的な説明図である。
【００１２】
図５は本発明によるコンテンツ提供方法の実施例を説明するための流れ図である。
【００１３】
図６は本発明によるコンテンツ提供サーバー構成の実施例を説明するためのブロック図である。
【００１４】
図７は本発明によるコンテンツ制御サーバー構成の実施例を説明するためのブロック図である。
【００１５】
図８は本発明によるコンテンツ提供方法の他の実施例を説明するための流れ図である。
【００１６】
〔発明を実施するための最良の様態〕
以下、添付図面を参照して本発明の望ましい実施例について詳細に説明する。
【００１７】
図１は本発明によるコンテンツ提供システムの接続を説明するためのブロック図である。
【００１８】
図１を参照すれば、移動通信網は、移動端末１００と無線通信を行う基地局（ＢＴＳ）３１０と、前記ＢＴＳ３１０を制御する基地局制御器（ＢＳＣ）３２０と、前記ＢＳＣ３２０と接続されて呼を交換する交換器（ＭＳＣ）３３０と、前記ＭＳＣ３３０と接続されて使用者の位置情報を管理するホーム位置登録器（ＨＬＲ）３４０と、前記ＢＳＣ３２０と接続されてパケットデータサービスを提供するパケットデータサービスノード（ＰＤＳＮ）３５０と、ＰＤＳＮ３５０に接続されるデータコア網（ＤＣＮ）３７０とを含む。
【００１９】
また、前記ＰＤＳＮ３５０には、移動端末１００及び２００を通じて無線ＬＡＮを提供するためのアクセスポイント（ＡＰ）３６０が接続され、前記ＤＣＮ３７０にはインターネット４００が接続され、前記インターネット４００にはコンテンツを提供するコンテンツ提供サーバー５００が接続される。
【００２０】
前記コンテンツ提供サーバー５００は、移動通信網を通じて移動端末１００（または２００）に、予め格納された動画コンテンツまたは実時間動画コンテンツを提供する。移動端末１００（または２００）は、前記コンテンツ提供サーバー５００から動画を受けて再生することで、使用者が動画を楽しむようにする。
【００２１】
前記動画コンテンツはオーディオデータを含む動画ＭＰＥＧデータあるいはオーディオデータのみを持つオーディオＭＰＥＧデータ（例えば、ＭＰ３）であることができ、移動端末は前記ＭＰＥＧデータをデコードすることができるデコーダーを含む。
【００２２】
本発明は、前記ＭＰＥＧデータの再生速度を調節することで、ＭＰＥＧデータの２倍速度で再生を行うことができる。これにより、本発明は、動画の再生速度あるいはオーディオの再生速度を増加させることで、使用者にとって動画の視聴時間あるいはオーディオの聞取時間を短縮させることができる。
【００２３】
前記ＭＰＥＧデータの再生時間調節は移動端末でなされるか、あるいはコンテンツを提供するコンテンツ提供サーバーで予めなされて移動端末に提供することができる。まず、移動端末でＭＰＥＧデータの再生時間を調節する実施例を説明し、移動端末１００の構成を例として説明する。
【００２４】
オーディオの再生時間を調節する方法は多様な技術が公開されているが、特に大韓民国公開特許第１０−２００２−００４９０８７号に開示された‘変速再生時にも音色変化を誘発しないようにするオーディオ信号再生方法とこれのための再生装置’には、オーディオの再生速度を変更しても、ピッチ（ｐｉｔｃｈ）変化を抑制することで、低速及び高速再生時の音色変化を防止する技術が開示されている。
【００２５】
図２は本発明による移動端末１００の構成の実施例を説明するためのブロック図である。
【００２６】
図２を参照すれば、本発明による移動端末１００は、全体動作制御のための制御部１２０と、使用者から動作命令を受けるための入力部１１０と、データ格納のための格納部１３０と、移動通信網のＢＴＳ３１０と無線送受信を実行するための無線送受信部１４１と、ＡＰ３６０と無線ＬＡＮ接続を行うための無線ＬＡＮ接続部１４２と、作動情報及び動画を表示するための表示部１５０と、音声出力のためにデジタル信号をアナログ信号に変換するデジタル／アナログ変換部１８１と、前記デジタル／アナログ変換部で変換されたアナログ信号を増幅してスピーカー１８３に出力する増幅部１８２とを含む。
【００２７】
また、前記移動端末１００は、動画データ、すなわちＭＰＥＧデータを処理するためのＭＰＥＧ処理部１６０と、そのデータを格納するためのコンテンツ格納部１７０とを含む。
【００２８】
前記ＭＰＥＧ処理部１６０は、移動通信網を通じてコンテンツ提供サーバー５００から伝送されるＭＰＥＧデータ（オーディオを含む動画データまたはオーディオデータ）をデコードし、再生速度を調節するもので、その詳細な構成は次のようである。
【００２９】
図３は本発明によるＭＰＥＧ処理部の構成を説明するためのブロック図である。
【００３０】
図３を参照すれば、本発明によるＭＰＥＧ処理部１６０は、ＭＰＥＧデータからビデオデータとオーディオデータを分離するデータ分離部１６１と、前記データ分離部１６１で分離されたビデオデータを所定形式にデコードするビデオデコーダー１６２と、前記データ分離部１６１で分離されたオーディオデータを所定形式にデコードするオーディオデコーダー１６３とを含む。
【００３１】
また、本発明による前記ＭＰＥＧ処理部１６０は、前記ビデオデコーダー１６２でデコードされたビデオデータと前記オーディオデコーダー１６３でデコードされたオーディオデータの再生速度を調節するようにデータ処理を行う速度調節部１６４と、前記速度調節部１６４で再生速度が調節されたビデオデータとオーディオデータの同期を設定する同期部１６５を含む。
【００３２】
前記同期部１６５はビデオデータとオーディオデータを同期化させるもので、同期化については図４を参照して説明する。図４の（Ａ）は正常速度で再生するデータストリームを示すものであり、（Ｂ）は再生速度が変換されたデータストリームを示すものである。
【００３３】
図４に示すように、オーディオデータを含むオーディオフレームとビデオデータを含むビデオフレームはデータパケットの形態で構成される。前記データパケットは通常オーディオフレームとビデオフレームからなるが、ビデオフレームは、映像の特性上、オーディオフレームに比べて多いデータを含む。
【００３４】
前記（Ａ）の正常速度再生時と（Ｂ）のデータストリームを比較すれば、正常速度より低速の速度、例えば１／２倍速で再生時には、データストリームにおいて、各データは時間軸が長くなり、高速、例えば２倍速で再生時には、正常速度に比べて各データの時間軸間隔が短くなることが分かる。この時、（Ａ）及び（Ｂ）をよく調べると、速度変換があっても各データパケットはオーディオフレームの位置がビデオフレームの位置と同一であることが分かる。
【００３５】
すなわち、同期部１６５は、データパケットにおいて、その順序にしたがって同期化を行う。
【００３６】
前記同期部１６５で同期化されたビデオデータは表示部１５０に伝達されて表示され、オーディオデータはデジタル／アナログ変換部１８１に伝達されてアナログ信号に変換される。アナログ信号に変換されたオーディオデータは増幅部１８２で増幅され、スピーカー１８３に伝送され、可聴周波数帯のオーディオ信号に再生される。
【００３７】
前記のような構成を持つ本発明によるＭＰＥＧ処理部１６０は、移動端末が移動通信網（あるいは無線ＬＡＮ）を通じて受信されたＭＰＥＧデータをビデオデータとオーディオデータに分離した後、ＭＰＥＧ規格にしたがってデコードする。
【００３８】
基本再生速度の場合、ＭＰＥＧ処理部１６０は、制御部１６６の制御によって速度調節部１６４でＭＰＥＧデータの再生速度調節処理を行わない。これにより、ビデオデコーダー１６２の出力データをそのまま表示部１５０に出力し、オーディオデコーダー１６３の出力データをそのままデジタル／アナログ変換部１８１に出力する。
【００３９】
しかし、ＭＰＥＧデータの再生速度を増加、例えば２倍速で再生する場合、制御部１６６の制御によって速度調節部１６４のビデオモジュール１６４ａはビデオデータフレーム（Ｉ、Ｐ及びＢフレーム）の一部フレーム（例えば、Ｂフレーム）をスキップすることで、再生速度を調節することができる。この時、フレームのスキップをビデオデコーダー１６２で行うことで、ビデオデコーダー１６２のデコーディング負荷を減少させ、資源の浪費を防止することもできる。
【００４０】
また、速度調節部１６４のオーディオモジュール１６４ｂは、オーディオデコーダー１６３でデコードされたオーディオデータ（ＰＣＭデータ）の再生速度を調節する。この時、オーディオモジュール１６４ｂは、オーディオデータであるＰＣＭデータの再生速度の調節時、ピッチの変化がないように制御する。
【００４１】
速度調節部１６４のビデオモジュール１６４ａ及びオーディオモジュール１６４ｂによって速度調節がなされると、データが変化してビデオ信号とオーディオ信号の同期化が崩れてしまう。これによって、同期部１６５が速度調節されたビデオデータ及びオーディオデータの同期化を行う。
【００４２】
前記同期部１６５は、ビデオデータにおいてフレームの除去（高速再生）あるいはフレームの拡張（低速再生）に応じてオーディオデータの再生位置をデータパケットに合わせることで同期化を行う。同期化は、図４に示すように、データパケットからオーディオフレームをビデオフレームの該当の位置に合わせることによってなされる。
【００４３】
前述したＭＰＥＧ処理部を含む移動端末でのコンテンツ再生時、再生速度を調節する過程は次のようである。
【００４４】
使用者は、移動端末を利用し、移動通信網（あるいは無線ＬＡＮ）を通じてインターネット４００上に設けられたコンテンツ提供サーバー５００に接続する。コンテンツ提供サーバー５００は、動画あるいは実時間動画（例えば、ＴＶ放送）などのコンテンツを使用者の移動端末１００に提供するもので、移動端末１００の接続によって使用者認証を行った後、移動端末１００からのコンテンツ提供要請を受け入れる。
【００４５】
前記コンテンツ提供サーバー５００は、移動端末から伝送されるコンテンツ提供要請を受信すれば、該当コンテンツをＭＰＥＧデータ形式でストリーミング伝送する。移動端末１００は、前記ストリーミング伝送されるＭＰＥＧデータをコンテンツ格納部１７０に格納しながらＭＰＥＧ処理部１６０に伝送する。
【００４６】
前記ＭＰＥＧ処理部１６０は、データ分離部１６１を通じてビデオデータとオーディオデータに分離し、分離されたビデオデータはビデオデコーダー１６２に出力し、分離されたオーディオデータはオーディオデコーダー１６３に出力する。
【００４７】
前記ビデオデコーダー１６２は前記分離されたビデオデータを所定規格にしたがってデコーディングし、オーディオデコーダー１６３も前記分離されたオーディオデータをデコードしてＰＣＭデータに変換する。
【００４８】
速度調節部１６４は前記デコードされたビデオ及びオーディオデータをパスし、同期部１６５はビデオ及びオーディオデータを同期化させてビデオデータを表示部１５０に出力し、オーディオデータをデジタル／アナログ変換部１８１に出力する。
【００４９】
これにより、表示部１５０は映像を表示し、デジタル／アナログ変換部１８１はオーディオデータをアナログ信号に変換して増幅部１８２に出力し、増幅部１８２はアナログ信号を増幅してスピーカー１８３に出力することにより、使用者はオーディオ信号を聞き取ることができる。
【００５０】
一方、コンテンツ視聴の途中、過去映像を再び視聴しようとするかあるいは移動電話が受信された場合、現在再生中のコンテンツを続いて視聴することができないが、以下ではこのような問題を克服する方法について説明する。
【００５１】
まず、コンテンツ視聴の途中、移動電話が受信されれば、移動端末１００の制御部１２０はＭＰＥＧ処理部１６０に該当制御信号を伝送する。これによって、ＭＰＥＧ処理部１６０の制御部１６６はコンテンツの再生を中止する。この時、コンテンツのデータは持続的に受信されてコンテンツ格納部１７０に格納される。この時、制御部１６６は現在再生が停止された時間とコンテンツの進行中の時間の情報をモニタする。
【００５２】
使用者が所定時間の通話を終えた後、引き続き再生を要請すれば、制御部１６６はモニタしていたコンテンツの進行時間と電話受信で再生が停止された時間を一致させるように、コンテンツ格納部１７０に格納されているコンテンツを停止時点から正常速度以上（例えば２倍速）で再生されるように制御する。
【００５３】
このために、制御部１６６の制御によって、データ分離部１６１は、コンテンツ格納部１７０に格納されたデータをビデオデータとオーディオデータに分離してビデオデコーダー１６２及びオーディオデコーダー１６３に伝送し、各デコーダー１６２及び１６３はデコーディングを行った後、速度調節部１６４に伝送する。
【００５４】
速度調節部１６４のビデオモジュール１６４ａ及びオーディオモジュール１６４ｂは、前述した方法によってビデオデータ及びオーディオデータの再生速度を調節して同期部１６５に出力する。同期部１６５も前述した方法によってビデオデータとオーディオデータの同期化を行う。
【００５５】
同期化の実行後、同期部１６５はビデオデータを表示部１５０に伝送し、オーディオデータはデジタル／アナログ変換部１８１に伝送する。これにより、表示部１５０は映像を表示し、デジタル／アナログ変換部１８１はオーディオデータをアナログ信号に変換した後、増幅部１８２を通じてスピーカー１８３に出力する。
【００５６】
前記過程によって、コンテンツ格納部１７０に格納されているコンテンツデータは正常速度以上、例えば２倍速で再生され、制御部１６６は前記２倍速で再生されているコンテンツの再生時間が、現在実時間でコンテンツ提供サーバー５００から伝送されるコンテンツの再生時間と一致するかどうかを判断する。この時、両再生時間が一致する場合、制御部１６６は、前記２倍速での再生を中止し、現在受信されるコンテンツデータを正常速度で再生するようにＭＰＥＧ処理部１６０を制御する。
【００５７】
一方、コンテンツ視聴の途中、スポーツ中継放送の過去映像を低速で再び視聴しようとする場合にも同一方法を提供することができる。使用者が低速再生を選択する瞬間から、現在実時間で受信されるコンテンツデータはコンテンツ格納部１７０に持続的に格納され、ＭＰＥＧ処理部１６０は使用者が指定した再生時間に帰って低速再生（例えば、１／２倍再生）を実行する。この時、復帰可能な再生時間はコンテンツ格納部１７０の格納容量によって変更できる。
【００５８】
低速再生中に使用者が元の位置を要請すれば、前述した方法のように、コンテンツを２倍速で再生して実時間再生時間に追い付き、再生時間を追い付けたら、すなわち再生時間が一致すれば、正常速度で再生を行う。
【００５９】
前述した電話通話による再生速度変化過程を流れ図に基づいて説明すれば次のようである。
【００６０】
図５は本発明による制御方法の実施例を説明するための流れ図である。
【００６１】
図５を参照すれば、移動端末１００は移動通信網を通じてインターネット４００に接続し、コンテンツ提供サーバー５００に接続する（Ｓ１０）。接続後、使用者は所望コンテンツを選択し（Ｓ２０）、コンテンツ提供サーバー５００は使用者が選択したコンテンツを使用者の移動端末に伝送する。
【００６２】
これにより、使用者の移動端末１００はコンテンツ提供サーバー５００から伝送されるコンテンツを受信し、前述した過程によって再生を実施する（Ｓ３０）。
【００６３】
この時、移動端末の制御部１２０は電話が受信されるかどうかを判断する（Ｓ４０）。段階Ｓ４０で、電話が受信されると判断されれば、現在受信されるコンテンツをコンテンツ格納部１７０に一時格納する（Ｓ５０）。そして、電話通話が終わったかを判断し（Ｓ６０）、電話通話が終わったと判断されれば、移動端末１００は実時間コンテンツの再生時間を追い付くために、ＭＰＥＧ処理部１６０を高速再生モードで動作するように制御する（Ｓ７０）。この時、移動端末１００は、コンテンツ格納部１７０に格納されるコンテンツを正常再生速度より高速で再生する。
【００６４】
段階Ｓ７０での高速再生によって再生時間が実時間再生時間に到逹したかを判断し（Ｓ８０）、到達したと判断されれば、ＭＰＥＧ処理部１６０は高速再生モードを解除し、実時間再生モードでコンテンツを再生する（Ｓ９０）。
【００６５】
以下では、本発明による他の実施例によるコンテンツ提供サーバーでのＭＰＥＧデータの再生速度調節を説明する。
【００６６】
図６は本発明によるコンテンツ提供サーバー構成の実施例を説明するためのブロック図である。図７は本発明によるコンテンツ制御サーバー構成の実施例を説明するためのブロック図である。
【００６７】
図６及び図７を参照すれば、本発明によるコンテンツ提供サーバー５００は、インターネット４００を通じてウェブページを提供し、ウェブ接続を制御するウェブサーバー５１０と、コンテンツ提供を制御し、再生速度を調節するコンテンツ制御サーバー５３０と、前記コンテンツ制御サーバー５３０から受けたオーディオを含む動画コンテンツあるいはオーディオのみを含むオーディオコンテンツのＭＰＥＧデータを、前記ウェブサーバー５１０を通じて接続した端末（固定端末あるいは移動端末）にストリーミングサービスで提供するストリーミングサーバー５２０とを含む。
【００６８】
前記コンテンツ制御サーバー５３０は、動作制御のための制御部５３６と、ビデオデータをＭＰＥＧデータにエンコードするビデオエンコーダー５３３と、オーディオデータをＭＰＥＧデータにエンコードするオーディオエンコーダー５３４と、ビデオデータ及びオーディオデータの再生速度を調節する速度調節部５３２と、前記ビデオエンコーダー５３３及びオーディオエンコーダー５３４でエンコードされた各データを多重化してストリーミングサーバー５２０に伝送する多重化部５３１とを含む。また、コンテンツ制御サーバー５３０は、実時間コンテンツを格納するかあるいは予め設定されたコンテンツを格納／管理するコンテンツデータベース５３５を含む。
【００６９】
前記のような構成を持つコンテンツ提供サーバー５００は、使用者の端末からコンテンツ提供の要請があれば、使用者の端末にコンテンツを提供するが、その過程は次のようである。
【００７０】
移動端末１００（または２００）あるいは固定端末４１０がインターネット４００を通じてウェブサーバー５１０に接続すれば、前記ウェブサーバー５１０は使用者認証を行う。使用者認証後、使用者は各端末１００、２００または４１０を通じてコンテンツを要請し、ウェブサーバー５１０は、使用者からのコンテンツ要請に応えて、コンテンツ制御サーバー５３０にコンテンツ提供を要請する。
【００７１】
コンテンツ制御サーバー５３０は、ウェブサーバー５１０からの要請に応えて要請されたコンテンツの種類、例えばＴＶ放送のような実時間コンテンツあるいは映画等の予め格納されたコンテンツであるかを判断し、判断結果によるコンテンツをストリーミングサーバー５２０に伝達する。これにより、ストリーミングサーバー５２０は使用者の端末に該当のコンテンツをストリーミングサービスする。
【００７２】
前記コンテンツ制御サーバー５３０は、使用者が要請したコンテンツが実時間コンテンツの場合、外部装置から実時間コンテンツのビデオデータとオーディオデータを受信し、使用者が要請したコンテンツが予め格納されたコンテンツの場合、コンテンツデータベース５３５から該当コンテンツをロードする。この時、予め格納されたコンテンツも外部から受けることができる。
【００７３】
まず、実時間コンテンツの場合について説明する。
【００７４】
実時間コンテンツの場合、ビデオデータはビデオエンコーダー５３３に入力されてＭＰＥＧデータにエンコードされ、オーディオデータ（ＰＣＭデータ）はオーディオエンコーダー５３４に入力されてエンコードされる。前記ビデオエンコーダー５３３でエンコードされたデータとオーディオエンコーダー５３４でエンコードされたデータは多重化部５３１に伝送され、多重化過程を受けた後、ストリーミングサーバー５２０に伝送される。
【００７５】
この時、使用者から再生速度調節の命令が伝達されれば、ウェブサーバー５１０は該当命令をコンテンツ制御サーバー５３０の制御部５３６に伝送し、制御部５３６は命令に応じて各構成要素を制御するが、その過程は次のようである。
【００７６】
例えば、再生速度を遅くする命令、すなわちスポーツ中継放送の視聴時、スローモーションを見たい時のように、１／２倍速再生命令が入力された場合、実時間ビデオデータ及びオーディオデータはコンテンツデータベース５３５にバッファリングされ、前記ビデオデータ及びオーディオデータは速度調節部５３２に入力される。
【００７７】
速度調節部５３２は、ビデオモジュール５３２ａによってビデオデータの再生速度を１／２倍速に調節してビデオエンコーダー５３３に出力し、オーディオモジュール５３２ｂはオーディオデータ（ＰＣＭデータ）の再生速度を１／２倍速に調節してオーディオエンコーダー５３４に出力する。この時、オーディオモジュール５３２ｂは、オーディオデータの再生速度を１／２倍速に調節する時、ピッチの変化がないように調節する。
【００７８】
そして、ビデオエンコーダー５３３及びオーディオエンコーダー５３４は、速度調節部５３２から伝送される速度調節された各データをエンコードして多重化部５３１に伝送する。この時、実時間コンテンツのデータは正常再生時間に合わせて継続してコンテンツデータベース５３５に格納され、制御部５３６はその実時間再生時間を持続的にモニタする。
【００７９】
１／２倍速に速度調節されたコンテンツはストリーミングサーバー５２０を通じて使用者の端末に伝送され、使用者の端末は一般的なＭＰＥＧ再生方法によって再生することにより、使用者は１／２倍速のコンテンツを楽しむことができる。
【００８０】
一方、１／２倍速での再生中、使用者の端末から正常速度再生の命令が伝送されれば、制御部５３６は、１／２倍速再生が中断された時点から現在実時間再生時間を追い付くように、再生を早く、例えば２倍速に設定する。
【００８１】
これによって、速度調節部５３２の各モジュール５３２ａ及び５３２ｂは、コンテンツデータベース５３５に継続して格納されている実時間コンテンツを２倍速に調節し、調節されたデータをビデオエンコーダー５３３及びオーディオエンコーダー５３４に出力する。各エンコーダー５３３及び５３４は該当のデータをエンコードした後、多重化部５３１に伝送し、多重化部５３１は多重化過程を行ってストリーミングサーバー５２０に伝送する。以後の過程は前述した過程と同様である。
【００８２】
また、予め格納されたコンテンツを提供する場合にも、前記と同様にサービスすることができる。
【００８３】
以上で説明したサービス過程を流れ図に基づいて説明すれば次のようである。
【００８４】
図８は本発明によるコンテンツ提供方法の実施例を説明するための流れ図である。
【００８５】
図８を参照すれば、使用者が移動端末を利用してコンテンツ提供サーバー５００のウェブサーバー５１０に接続し（Ｓ１１０）、コンテンツを選択すれば（Ｓ１２０）、ウェブサーバー５１０は、該当コンテンツを使用者の移動端末に伝送するように、要請メッセージをコンテンツ制御サーバー５３０に伝送する。
【００８６】
これにより、コンテンツ制御サーバー５３０は、前記要請に応じて、該当コンテンツをストリーミングサーバー５２０を通じて使用者の移動端末に伝送する（Ｓ１３０）。この時の過程は前述したようである。
【００８７】
コンテンツ制御サーバー５３０は、移動端末から伝送される応答が正常に受信されるかどうかを判断する（Ｓ１４０）。段階Ｓ１４０で応答が正常に受信されないと判断されれば、コンテンツ制御サーバー５３０はコンテンツの伝送を中止する（Ｓ１５０）。このような伝送中止は、移動端末の通信障害あるいは電話通話などによって発生することができる。
【００８８】
そして、コンテンツ制御サーバー５３０は使用者の移動端末から要請される再生モードを判断する（Ｓ１６０）。
【００８９】
段階Ｓ１６０でタイムシフトであると判断されれば、コンテンツ制御サーバー５３０は、要請されたタイムシフトによって該当再生時間からエンコードを行って（Ｓ１６１）伝送する（Ｓ１６２）。
【００９０】
しかし、段階Ｓ１６０で高速再生モードであると判断されれば、コンテンツ制御サーバー５３０は、前述した方法による高速再生モードでコンテンツをエンコードし（Ｓ１７０）、ストリーミングサーバー５２０を通じて使用者の移動端末に伝送する（Ｓ１８０）。
【００９１】
そして、コンテンツ制御サーバー５３０は高速再生によって再生時間が実時間再生時間に到逹したかを判断し（Ｓ１９０）、追い付いたと判断されれば、高速再生モードを解除し、実時間再生モードを行う（Ｓ２００）。
【００９２】
前記のように、本発明によるコンテンツ提供システムによれば、実時間あるいは予め格納されたデジタルコンテンツを使用者の端末に提供することができる効果があるばかりでなく、コンテンツ提供中、電話通話、通信障害によってコンテンツの伝送が中断されるか、あるいは使用者の意図によって再視聴などが行われた場合にも、再生時間の調節によって実時間コンテンツ再生時間を追い付くことができる効果がある。
【図面の簡単な説明】
【００９３】
【図１】本発明によるコンテンツ提供システムの接続を説明するためのブロック図である。
【図２】本発明による移動端末構成の実施例を説明するためのブロック図である。
【図３】本発明によるＭＰＥＧ処理部構成の実施例を説明するためのブロック図である。
【図４】本発明によるデータの同期化を説明するための概略的な説明図である。
【図５】本発明によるコンテンツ提供方法の実施例を説明するための流れ図である。
【図６】本発明によるコンテンツ提供サーバー構成の実施例を説明するためのブロック図である。
【図７】本発明によるコンテンツ制御サーバー構成の実施例を説明するためのブロック図である。
【図８】本発明によるコンテンツ提供方法の他の実施例を説明するための流れ図である。
【図１】
2007504707.tif 000003
【図２】
2007504707.tif 000004
【図３】
2007504707.tif 000005
【図４】
2007504707.tif 000006
【図５】
2007504707.tif 000007
【図６】
2007504707.tif 000008
【図７】
2007504707.tif 000009
【図８】
2007504707.tif 000010
【国際調査報告】
2007504707.tif 000011